(57)【要約】      （修正有）【課題】複数枚数のカード収納できると共に、複数枚数のカードを収納した場合であっても、厚さ寸法の小さい財布を提供する。【解決手段】札入れ部と、上記札入れ部の内側に設けられた複数のカード収納部とを有し、二つ折りにしうる財布であって、上記カード収納部は、財布本体の長さ方向に沿って並列に複数設けられている。上記複数のカード収納部に複数のカードが収納された場合に、複数のカードが厚さ方向に重なることのない厚さ寸法の小さい財布を提供することができる。また、例えば、ズボンの後ポケットに複数のカードが収納された財布を収納する場合には、上記複数のカード収納部の間にはカードが配置されていないことから、着座した場合に、カードが配置されていない部位において折り曲がるので、収納されたカードの破損を軽減できる。【選択図】図１
0003147374.tif 000002
【実用新案登録請求の範囲】
【請求項１】
札入れ部と、上記札入れ部の内側に設けられた複数のカード収納部とを有し、二つ折りにしうる財布であって、上記カード収納部は、財布本体の長さ方向に沿って並列に複数設けられていることを特徴とする財布。
【請求項２】
上記カード収納部は略キャッシュカードサイズに形成され、
上記財布本体は、折り曲げた場合に、平面長方形状に形成されると共に上記カード収納部の長さ寸法と略同一の幅寸法に形成され、
上記カード収納部は、上記カード収納部の幅方向に沿って開口する開口部を有することを特徴とする請求項１記載の財布。
【請求項３】
上記札入れ部の長さ方向端部において、上記札入れ部の幅方向に沿って形成された仕切り部を介して形成されたカード補助収納部が設けられ、
上記カード補助収納部には上記札入れ部の幅方向に沿って開口する開口部が形成されていることを特徴とする請求項１又は２記載の財布。
【考案の詳細な説明】
【技術分野】
【０００１】
本考案は、財布に係り、特に、札入れ部の内側に複数のカード収納部を有する二つ折りにしうる財布に関する。
【背景技術】
【０００２】
従来から、財布には、キャッシュカードやクレジットカード等のカードを収納する収納ポケットが設けられている。
上記収納ポケットは、複数枚数のカードを収納するために、厚さ方向に仕切り板が複数枚配置されて構成されている場合がある。
しかしながら、上記構成において、上記収納ポケットに複数枚数のカードを収納する場合には、厚さ方向に複数枚のカードを収納することになることから、財布全体の厚さ寸法が大きくなり、折り畳んでズボンの後ポケットに財布を収納する場合には、厚さ方向に嵩張り、ポケットへ入れにくいと共に、外観上見苦しい場合がある。
従って、複数枚数のカード収納できると共に、複数枚数のカードを収納した場合であっても、厚さ寸法が大きくならない財布があれば便利である。
【考案の開示】
【考案が解決しようとする課題】
【０００３】
本考案は、カード収納部を財布本体の長さ方向に沿って並列に複数設けることにより、複数枚数のカード収納できると共に、複数枚数のカードを収納した場合であっても、厚さ寸法の小さい財布を提供することにある。
【課題を解決するための手段】
【０００４】
上記課題を解決するために、請求項１記載の考案にあっては、札入れ部と、上記札入れ部の内側に設けられた複数のカード収納部とを有し、二つ折りにしうる財布であって、上記カード収納部は、財布本体の長さ方向に沿って並列に複数設けられていることを特徴とする。
従って、上記カード収納部は、財布本体の長さ方向に沿って並列に複数設けられているので、上記複数のカード収納部同士は、夫々、重なり合わずに配置されている。
【０００５】
請求項２記載の考案にあっては、上記カード収納部は略キャッシュカードサイズに形成され、上記財布本体は、折り曲げた場合に、平面長方形状に形成されると共に上記カード収納部の長さ寸法と略同一の幅寸法に形成され、上記カード収納部は、上記カード収納部の幅方向に沿って開口する開口部を有することを特徴とする。
従って、上記複数のカード収納部は財布本体の長さ方向に沿って並列に整列させることができる。
【０００６】
請求項３記載の考案にあっては、上記札入れ部の長さ方向端部において、上記札入れ部の幅方向に沿って形成された仕切り部を介して形成されたカード補助収納部が設けられ、上記カード補助収納部には上記札入れ部の幅方向に沿って開口する開口部が形成されていることを特徴とする。
従って、上記カード補助収納部にカードを収納することができる。
【考案の効果】
【０００７】
請求項１記載の考案にあっては、上記カード収納部は、財布本体の長さ方向に沿って並列に複数設けられ、上記複数のカード収納部同士は、夫々、重なり合わずに配置されていることから、上記複数のカード収納部に複数のカードが収納された場合に、複数のカードが厚さ方向に重なることのない厚さ寸法の小さい財布を提供することができる。
また、例えば、ズボンの後ポケットに複数のカードが収納された財布を収納する場合には、上記複数のカード収納部の間にはカードが配置されていないことから、着座した場合に、カードが配置されていない部位において折り曲がるので、収納されたカードの破損を軽減できる。
【０００８】
請求項２記載の考案にあっては、上記複数のカード収納部は財布本体の長さ方向に沿って並列に整列させることができることから、上記複数のカード収納部は財布本体の長さ方向に沿って並列に整列したコンパクトで取り扱いが容易な厚さ寸法の小さい財布を提供することができる。
【０００９】
請求項３記載の考案にあっては、上記カード補助収納部にカードを収納することができることから、カードの収納枚数を増大させることができる。
【考案を実施するための最良の形態】
【００１０】
以下、図面を用いて本考案の実施の形態について説明する。
図２に示すように、本実施の形態に係る財布１０は、札入れ部１１と、上記札入れ部１１の内側に設けられた図１に示すような複数のカード収納部１２とを有し、二つ折りにしうる財布１０であって、上記カード収納部１２は、図２に示すように、財布本体１３の長さ方向に沿って並列に複数設けられている。
また、図１に示すように、上記カード収納部１２は略キャッシュカードサイズに形成され、図２に示すように、上記財布本体１３は、折り曲げた場合に、平面長方形状に形成されると共に図１に示すような上記カード収納部１２の長さ寸法と略同一の幅寸法に形成され、上記カード収納部１２は、図１に示すように、上記カード収納部１２の幅方向に沿って開口する開口部１４を有している。
また、図３に示すように、上記札入れ部１１の長さ方向端部２１において、上記札入れ部１１の幅方向に沿って形成された仕切り部１５を介して形成されたカード補助収納部１６が設けられ、上記カード補助収納部１６には上記札入れ部１１の幅方向に沿って開口する開口部１７が形成されている。
【実施例１】
【００１１】
以下に、図面を用いて本実施例１について詳細を説明する。
図２に示すように、本実施例に係る財布１０は、皮革材が縫着されることにより形成され、二つ折りにしうる財布１０であって、折り曲げる前において、図１に示すように、長さ方向中央部の折り曲げ線部１８に対して対称に形成された平面長方形状に形成され、上記折り曲げ線部１８において半分に折り曲げられることにより、図２に示すように、折り曲げる前の半分の大きさ寸法の平面長方形状に形成される。
また、図１に示すように、財布本体１３には、幅方向の一方の端部に沿って長さ方向全域に亘って開口する札入れ部１１が設けられ、上記札入れ部１１の内側には、図１に示すように、４つのカード収納部１２ａ，１２ｂ，１２ｃ，１２ｄが配置されている。
また、上記カード収納部１２は、略キャッシュカードサイズに形成され、上記財布本体１３の長さ方向に沿って４つ並列に配置されている。
また、上記財布本体１３の幅寸法は上記カード収納部１２の長さ寸法と略同一寸法に形成され、上記カード収納部１２は上記カード収納部１２の幅方向端部が上記財布本体１３の幅方向に沿うように配置されている。
また、上記カード収納部１２は、図１に示すように、上記カード収納部１２の幅方向に沿って開口する開口部１４を有し、上記開口部１４は上記財布本体１３の長さ方向に沿って設けられている。
また、上記折り曲げ線部１８に対して一方側に配置される２つのカード収納部１２ａ，１２ｂは、一枚の長方形状のカード収納部構成部材１９の長さ方向両端部及び下端部に沿って縫着され、上端部に開口部１４が形成され、長さ方向中央部には仕切り線部２０ａが縫着されることにより形成され、２枚のカードＡを収納しうるように形成されている。
また、上記折り曲げ線部１８に対して他方側に配置される２つのカード収納部１２ｃ，１２ｄも同様に縫着され、仕切り線部２０ｂが形成されて２枚のカードＡを収納しうるように形成されている。
また、図３に示すように、上記札入れ部１１の長さ方向の一方の端部２１において、上記札入れ部１１の幅方向に沿って縫着により形成された仕切り部１５を介して形成された略キャッシュカードサイズのカード補助収納部１６が設けられ、上記カード補助収納部１６には上記札入れ部１１の幅方向に沿って開口する開口部１７が形成されている。
また、図１に示すように、上記札入れ部１１と上記カード収納部１２との間には、財布本体１３の長さ方向中央部側に開口する副収納部２２，２２が形成されている。
また、図３に示すように、上記札入れ部１１の長さ方向の他方の端部側において、上記札入れ部１１の長さ方向の半分の領域に亘って形成された上記札入れ部１１の長さ方向に開口する副収納部２３が形成されている。
【００１２】
以下、本実施例の作用について説明する。
本実施例に係る財布１０使用する場合には、上記財布１０を折り曲げる前において、図１に示すように、例えば、カード収納部１２ａ，１２ｂ，１２ｃ，１２ｄにキャッシュカードＡやクレジットカードＡ等を収納する。
その後、図２に示すように、折り曲げ線部１８により折り曲げた後に、例えば、ズボンの後ポケットに収納して携帯する。
従来の財布ように、厚さ方向に複数枚のカードを収納するように構成されていない。
従って、仮に、一つのポケットに複数枚のカードを入れた場合であっても、収納したカードＡの枚数分の厚さ寸法になることがなく、財布１０全体の厚さ寸法の小さい財布１０とすることができる。
その結果、例えば、ズボンの後ポケットに収納して携帯する場合に、厚さ方向に嵩張ることがないため、ポケットに入れ易く、かつ、外観上の見苦しさは低減される。
また、例えば、ズボンの後ポケットにカードＡが収納された財布１０を収納する場合、仕切り線部２０ａ、２０ｂには、カードＡが配置されておらず、かつ、財布１０を折り曲げた場合に仕切り線部２０ａ，２０ｂが互いに重なり合うことから、着座した場合に、カードが配置されていない仕切り線部２０ａ，２０ｂにおいて上記財布１０は幅方向に沿って屈曲可能なので、収納されたカードＡの破損を軽減できる。
また、図３に示すように、カード補助収納部１６にカードＡを収納することが可能であることから、カードの収納枚数を増大させることができる。
【実施例２】
【００１３】
また、他の実施例として、本発明に係る財布１０の実施例２について、上記実施例１と異なる点について図面を用いて説明する。
本実施例２に係る財布１０は、図４に示すように、折り曲げる前においては中央部に形成される折り曲げ線部１８に対して対称に形成されると共に平面略正方形状に形成され、折り曲げ線部１８により二つ折り可能な財布１０であり、折り曲げた後においては、図５に示すような平面略長方形状に形成されている。
また、財布１０の内側であって折り曲げ線部１８側に開口する札入れ部２４が形成されている。
また、カード収納部２５ａ，２５ｂ，２５ｃ，２５ｄ，２５ｅ，２５ｆは、上記札入れ部２４の内側に設けられ、上記折り曲げ線部１８に対して両側に３つずつ計６つ配置され、上記財布１０が上記折り曲げ線部１８により折り曲げられた場合に、図４に示すように、折り曲げられた上記財布１０の長さ方向に沿うように並列に設けられている。
また、上記カード収納部２５の幅方向に沿って形成された開口部１４は、上記折り曲げ線部１８に沿って上記折り曲げ線部１８側に配置されている。
また、上記折り曲げ線部１８に対して一方側に配置される３つのカード収納部２５ａ，２５ｂ，２５ｃは、一枚の長方形状のカード収納部構成部材２６の長さ方向両端部及び幅方向の外端部に沿って縫着され、上記折り曲げ線部１８側の内端部に開口部１４が形成され、長さ方向においては、長さ寸法を３等分する位置に２本の仕切り線部２７ａ，２７ｂが縫着されることにより形成され、３枚のカードを収納しうるように形成されている。
また、上記折り曲げ線部１８に対して他方側に配置される３つのカード収納部２５ｄ，２５ｅ，２５ｆも同様に縫着され、２本の仕切り線部２７ｃ，２７ｄが形成されて３枚のカードを収納しうるように形成されている。
【００１４】
以下、本実施例の作用について説明する。
本実施例に係る財布１０使用する場合には、上記実施例１の場合と同様に、図４に示すように、例えば、カード収納部２５ａ，２５ｂ，２５ｃ，２５ｄ，２５ｅ，２５ｆにキャッシュカードＡやクレジットカードＡ等を収納した後に、図５に示すように、折り曲げ線部１８により、折り曲げた後に、例えば、ズボンの後ポケットに収納して携帯する。
従って、仮に、一つのポケットに複数枚のカードを入れた場合であっても、収納したカードＡの枚数分の厚さ寸法になることがなく、財布１０全体の厚さ寸法の小さい財布１０とすることができる。
その結果、例えば、ズボンの後ポケットに収納して携帯する場合に、厚さ方向に嵩張ることがないため、ポケットに入れ易く、かつ、外観上の見苦しさは低減される。
また、例えば、ズボンの後ポケットにカードが収納された財布１０を収納する場合、図４に示すように、仕切り線部２７ａ，２７ｂ，２７ｃ，２７ｄには、カードＡが配置されておらず、かつ、図５に示すような財布１０を折り曲げた場合に仕切り線部２７ａと２７ｃ、及び、仕切り線部２７ｂと２７ｄとが互いに重なり合うことから、着座した場合に、カードが配置されていない仕切り線部２７ａ，２７ｂ，２７ｃ，２７ｄにおいて上記財布１０は幅方向に沿って屈曲可能なので、収納されたカードＡの破損を軽減できる。
【実施例３】
【００１５】
また、他の実施例として、本発明に係る財布１０の実施例３について、上記実施例１及び２と異なる点について図面を用いて説明する。
本実施例３に係る財布１０は、図６に示すように、折り曲げる前においては折り曲げ線部１８に対して対称に形成されると共に平面略長方形状に形成され、折り曲げ線部１８により二つ折り可能な財布１０であり、幅方向の一方の端部において長さ方向に沿って開口する紙幣Ｂと略同寸法により形成された札入れ部１１が設けられている。
また、カード収納部１２は、上記折り曲げ線部１８を介して１つずつの全体として２つ設けられ、上記カード収納部の幅方向端部に設けられた開口部が財布本体の長さ方向に沿って形成されるように配置されている。
また、上記札入れ部１１と上記カード収納部との厚さ方向における間には、厚さ方向に仕切り部材２８が配設され、仕切り部材２８の上下に設けられると共に上記財布本体１３の長さ方向中央部側に開口する副収納部２９が形成されている。
本実施例３に係る財布１０は、上記札入れ部１１が、紙幣Ｂと略同寸法であることから、２枚のカードを収納できると共に、折り曲げた場合に、財布１０が全体として、必要最小限にコンパクト化され、取り扱いが容易である。
【産業上の利用可能性】
【００１６】
本考案は、財布に係り、財布に係り、特に、札入れ部の内側に複数のカード収納部を有する二つ折りにしうる財布に適用することができる。
【図面の簡単な説明】
【００１７】
【図１】本考案に係る財布の一実施の形態を示す平面図であり、折り曲げる前の状態を示す図である。
【図２】本考案に係る財布の一実施の形態を示す斜視図であり、折り曲げた状態を示す図である。
【図３】本考案に係る財布の一実施の形態を示す斜視図であり、札入れ部を開いた状態を示す図である。
【図４】本考案に係る財布の一実施の形態を示す平面図であり、折り曲げる前の状態を示す図である。
【図５】本考案に係る財布の一実施の形態を示す斜視図であり、折り曲げた状態を示す図である。
【図６】本考案に係る財布の一実施の形態を示す斜視図であり、折り曲げる前の状態を示す図である。
【符号の説明】
【００１８】
１０    財布
１１    札入れ部
１２    カード収納部
１２ａ  カード収納部
１２ｂ  カード収納部
１２ｃ  カード収納部
１２ｄ  カード収納部
１３    財布本体
１４    開口部
１５    仕切り部
１６    補助収納部
１７    開口部
１８    折り曲げ線部
１９    カード収納部構成部材
２０ａ  仕切り線部
２０ｂ  仕切り線部
２１    札入れ部の長さ方向の一方の端部
２２    副収納部
２３    副収納部
２４    札入れ部
２５      カード収納部
２５ａ    カード収納部
２５ｂ    カード収納部
２５ｃ    カード収納部
２５ｄ    カード収納部
２５ｅ    カード収納部
２５ｆ    カード収納部
２６      カード収納部構成部材
２７ａ    仕切り線部
２７ｂ    仕切り線部
２７ｃ    仕切り線部
２７ｄ    仕切り線部
２８      仕切り部材
２９      副収納部
Ａ        カード
Ｂ        紙幣
【図１】
0003147374.tif 000003
【図２】
0003147374.tif 000004
【図３】
0003147374.tif 000005
【図４】
0003147374.tif 000006
【図５】
0003147374.tif 000007
【図６】
0003147374.tif 000008